(57)【要約】      （修正有）【課題】鑑識対象物の採取・観察を容易に行え、鑑識対象物の保管に適した鑑識対象物の採取装置を提供する。【解決手段】内底面７ａに鑑識対象物を粘着採取するための粘着部５を備えたケース本体２と、ケース本体２に開閉可能に支持される蓋体３とを透明な合成樹脂によって一体成型する。蓋体３には、ケース本体２の内周面７ｂと嵌合する嵌合部１０と、鑑識対象物を収容する収容空間を形成する蓋体側凹状部１１とを備えさせ、鑑識対象物の粘着採取後は、蓋体３の嵌合部１０をケース本体２に嵌合させて鑑識対象物を収容空間内に密封し、この状態で鑑識対象物の観察・保管が行えるようにする。【選択図】図２
2015068660.tif 000002
【特許請求の範囲】
【請求項１】
内底面に鑑識対象物を粘着採取するための粘着部を備えたケース本体と、前記ケース本体の蓋体とからなり、
前記蓋体は、当該蓋体によって前記ケース本体を閉じたときに、前記粘着部に粘着採取された鑑識対象物を収容するための収容空間を形成する凹状部を備えていることを特徴とする鑑識対象物の採取装置。
【請求項２】
前記蓋体は、ヒンジ部を介して前記ケース本体に開閉可能に支持されるとともに、前記ケース本体の内周面と嵌合する嵌合部を備えてなり、この嵌合部をケース本体の内周面に嵌合させることによって前記ケース本体を密封できるように構成されていることを特徴とする請求項１に記載の鑑識対象物の採取装置。
【請求項３】
少なくとも、前記ケース本体の内底面と、前記粘着部と、前記蓋体の凹状部とが透明な材料で構成されていることを特徴とする請求項１または２に記載の鑑識対象物の採取装置。
【請求項４】
前記ケース本体と、前記ヒンジ部と、前記蓋体とが合成樹脂によって一体成型されていることを特徴とする請求項２または３に記載の鑑識対象物の採取装置。
【請求項５】
前記粘着部は、両面粘着性を有するシート状の部材を前記ケース本体の内底面に貼付することによって形成されていることを特徴とする請求項１から４のいずれかに記載の鑑識対象物の採取装置。
【発明の詳細な説明】
【技術分野】
【０００１】
この発明は鑑識対象物の採取装置に関し、より詳細には、犯罪現場等において証拠物件となる毛髪や塗装片などの鑑識対象物を採取する装置に関する。
【背景技術】
【０００２】
近年、犯罪捜査においては、犯罪現場やその周辺等に残された毛髪、塗装片などを証拠物件として採取し、これら採取した証拠物件を科学的に鑑定する鑑識による捜査の重要性が高まっている。
【０００３】
従来、このような鑑識に伴う証拠物件（鑑識対象物）の採取作業は、鑑識係官によって鑑識対象物を粘着テープに粘着採取することによって行われている（たとえば、特許文献１参照）。この種の作業に用いられる粘着テープは、台紙に貼付された透明な粘着テープ本体と、粘着テープ本体の表面に貼付された透明な保護フィルムとで構成されており、鑑識対象物を採取する際には、保護フィルムを剥離して粘着テープ本体に鑑識対象物を貼着させ、その上から保護フィルムを再貼付して鑑識対象物を保護するようになっている。そして、鑑識対象物を鑑定する際（具体的には、顕微鏡などで鑑識対象物を観察する際）には、粘着テープ本体から台紙を剥離して、粘着テープ本体をスライドガラスに貼付して観察するようになっている。また、保管の際には、粘着テープとともに鑑識対象物を透明なビニール製の袋に収容して保管するようになっている。
【先行技術文献】
【特許文献】
【０００４】
【特許文献１】特開２００１−４０２９９号公報
【発明の概要】
【発明が解決しようとする課題】
【０００５】
しかしながら、このような従来のやり方には以下のような問題があり、その改善が望まれていた。
【０００６】
すなわち、上述した従来の方法では、鑑識対象物を採取する際、鑑識係官は粘着テープ本体を鑑識対象物に押し当てて鑑識対象物を粘着採取することになるが、粘着テープ本体およびその台紙は柔軟性のある柔らかな素材でできていることから、鑑識対象物の採取作業における粘着テープの取り扱いには慎重さが求められていた。具体的には、柔らかく形状が定まり難い粘着テープ本体を他所（鑑識対象物以外）に接触させることなく正確に鑑識対象物に押し当てなければならず、その作業には熟練が必要であった。
【０００７】
また、採取後の鑑識対象物の観察に顕微鏡を用いる際には、鑑識対象物が粘着採取された粘着テープ本体をスライドガラスに貼り直す手間があった。しかも、観察後に鑑識対象物を保管するためには、スライドガラスから粘着テープ本体を剥離して台紙に再貼付しなければならず、この点でも手間がかっていた。
【０００８】
さらに、保管においても鑑識対象物を収容するビニール製の袋は形状が定まらないので整理して保管するのに適しておらず、鑑識対象物の長期保管には向いていなかった。特に、刑事訴訟法の改正により凶悪事件の公訴時効が撤廃されたことに関連して、鑑識対象物の長期保管が求められる今日においては、鑑識対象物の整理が容易で長期間の保管に適した鑑識対象物の採取装置が望まれていた。
【０００９】
本発明は、このような問題点に鑑みてなされたものであって、その目的とするところは、鑑識対象物の採取・観察を容易に行え、鑑識対象物の保管に適した鑑識対象物の採取装置を提供することにある。
【課題を解決するための手段】
【００１０】
上記目的を達成するため、本発明に係る鑑識対象物の採取装置は、内底面に鑑識対象物を粘着採取するための粘着部を備えたケース本体と、上記ケース本体の蓋体とからなり、上記蓋体は、当該蓋体によって上記ケース本体を閉じたときに、上記粘着部に粘着採取された鑑識対象物を収容するための収容空間を形成する凹状部を備えていることを特徴とする。
【００１１】
この鑑識対象物の採取装置は、鑑識対象物を粘着採取する粘着部がケース本体の内底面に備えられているので、鑑識係官はケース本体を保持して、その内底面の粘着部を鑑識対象物に押し当てることによって容易に鑑識対象物を粘着採取することができる。そして、鑑識対象物の採取後には、蓋体でケース本体を閉じることによって鑑識対象物をケース本体内に隔離・収容できるので、採取後に鑑識対象物が毀損されるのを防止することができる他、整理して保管にも適している。
【００１２】
しかも、蓋体には鑑識対象物の収容空間となる凹状部が備えられているので、この凹状部の深さを深く設定することによって厚みのある鑑識対象物の採取・保管にも対応することができる。
【００１３】
本発明はその好適な実施態様として、上記蓋体は、ヒンジ部を介して上記ケース本体に開閉可能に支持されるとともに、上記ケース本体の内周面と嵌合する嵌合部を備えてなり、この嵌合部をケース本体の内周面に嵌合させることによって上記ケース本体を密封できるように構成されていることを特徴とする。
【００１４】
この実施態様に係る鑑識対象物の採取装置では、蓋体がヒンジ部を介してケース本体に支持されているので、鑑識対象物の採取現場において蓋体の逸失を防止することができる。したがって、鑑識対象物の採取作業をスムーズに行うことができる。また、蓋体を閉じることによって鑑識対象物はケース本体内に密封されるので、ケース本体内への異物の侵入が防止され、異物により鑑識対象物が損なわれることが防止される。
【００１５】
本発明は、他の好適な実施態様として、少なくとも、上記ケース本体の内底面と、上記粘着部と、上記蓋体の凹状部とが透明な材料で構成されていることを特徴とする。
【００１６】
この実施態様に係る鑑識対象物の採取装置では、ケース本体の内底面と、粘着部と、蓋体の凹状部とが透明材料で構成されるので、鑑識対象物をケース本体内に収容したまま蓋体を開くことなく鑑識対象物を外部から観察することができる。そのため、鑑識対象物を顕微鏡で観察する場合において、鑑識対象物をスライドガラスに移し替える手間を省略することができる。
【００１７】
本発明は、他の好適な実施態様として、上記ケース本体と、上記ヒンジ部と、上記蓋体とが合成樹脂によって一体成型されていることを特徴とする。
【００１８】
この実施態様に係る鑑識対象物の採取装置では、ケース本体と、ヒンジ部と、蓋体とが合成樹脂により一体成型されるので、低コストで本発明に係る鑑識対象物の採取装置を提供することができる。特に、透明な合成樹脂（たとえば、ＰＥＴ樹脂など）で装置全体を製造することにより、軽くて取り扱いの容易な鑑識対象物の採取装置を提供することができる。
【００１９】
本発明は、他の好適な実施態様として、上記粘着部は、両面粘着性を有するシート状の部材を上記ケース本体の内底面に貼付することによって形成されていることを特徴とする。
【００２０】
この実施態様に係る鑑識対処物の採取装置によれば、粘着部が両面粘着性を有するシート状の部材をケース本体の内底面に貼付することによって形成されるので、粘着部として、安価に入手できる市販品の両面粘着性テープや両面粘着性を有するジェルシートなどを用いることができ、鑑識対象物の採取装置を安価に提供することができる。
【図面の簡単な説明】
【００２１】
【図１】本発明に係る鑑識対象物の採取装置において、蓋体を閉じた状態の外観の一例を示す示す斜視図である。
【図２】同鑑識対象物の採取装置において、蓋体を開いた状態の外観の一例を示す斜視図である。
【図３】同鑑識対象物の採取装置の断面図であり、図３（ａ）は図１のＩ−Ｉ線に沿った断面を、図３（ｂ）は図１のＩＩ−ＩＩ線に沿った断面を示している。
【図４】同鑑識対象物の採取装置の変形例を示す断面図である。
【図５】同鑑識対象物の採取装置の使用状態を示す説明図であって、図４（ａ）は蓋体を開いて保護フィルムを剥離する状態を、図４（ｂ）は鑑識対象物を粘着採取する状態を、図４（ｃ）は鑑識対象物の採取後に蓋体を閉じた状態を示している。
【図６】同鑑識対象物の採取装置に鑑識対象物の来歴などを示す帳票を貼付して使用する場合の一例を示す斜視図である。
【発明を実施するための形態】
【００２２】
以下、本発明の実施形態を図面に基づいて詳細に説明する。
図１乃至図３は、本発明に係る鑑識対象物の採取装置の一例を示している。これらの図に示す鑑識対象物の採取装置１（以下、単に「採取装置１」と称する）は、主として、犯罪捜査において鑑識係官などが犯罪現場やその周辺等に残された毛髪、塗装片などの証拠物件（以下、「鑑識対象物Ｘ」と称する）を採取するために用いる装置であって、鑑識対象物Ｘを粘着採取するための粘着部５を備えるケース本体２と、ヒンジ部４を介してケース本体２に開閉可能に支持される蓋体３とを主要部として構成されている。
【００２３】
なお、以下に示す実施形態では、ケース本体２と蓋体３とヒンジ部４とが合成樹脂によって一体成型された採取装置１を示すが、ケース本体２と蓋体３とを別体に構成することも可能である。すなわち、蓋体３をケース本体２と着脱自在に構成することも可能である。
【００２４】
また、以下に示す実施形態では、採取装置１のケース本体２および蓋体３の外形を平面視において略長方形状に構成した場合を示すが、ケース本体２および蓋体３の外形は略長方形状に限定されることなく適宜設計変更可能である。
【００２５】
ケース本体２は、粘着部５を収容する容器であって、粘着部５が備えられる本体側凹状部７と、本体側凹状部７の外周に延設される本体側周縁部８とで構成されている。なお、本実施形態では、ケース本体２は、上述したように平面視において略長方形状を呈するように構成されており、その長手方向の長さは９ｃｍ程度、幅方向の長さは５ｃｍ程度とされている。
【００２６】
本体側凹状部７は、図２および図３に示すように、内底面７ａが平らな平面とされた凹状の窪みで構成されており、内底面７ａの適所（たとえば、中央部分）に粘着部５が備えられている。この本体側凹状部７の窪みの深さ（内周面７ｂの高さ）は、鑑識対象物Ｘの粘着採取が容易に行えるように深くなり過ぎないよう浅く設定されており、その深さ寸法は、たとえば１〜５ｍｍ程度、好ましくは２ｍｍ程度に設定されている。なお、本実施形態では、本体側凹状部７の形状（平面視における形状）をケース本体２の外形に対応させて略長方形状としているが、本体側凹状部７の形状はケース本体２の外形にかかわらず適宜変更可能である。たとえば、略長方形状のケース本体２に対して本体側凹状部７の形状を円形や略楕円形状とすることも可能である。
【００２７】
本体側周縁部８は、本体側凹状部７の外周の全域ににフランジ状に形成された部位であって、ケース本体２の長手方向の一端に形成される本体側周縁部８ａがヒンジ部４と連結されている。また、ケース本体２の長手方向の他端（本体側周縁部８ａと反対側）に形成される本体側周縁部８ｂは他の周縁部８よりも延出して形成されており、蓋体３を開くときの取手９を構成している。
【００２８】
粘着部５は、鑑識対象物Ｘを粘着採取するための部位であって、本実施形態では、この粘着部５として、両面粘着性を有するシート状の部材（たとえば、両面粘着可能な粘着テープや両面粘着性を有するジェルシート）が用いられている。すなわち、両面粘着性を有するシート状の部材の一方の面を本体側凹状部７の内底面７ａに貼付することによって粘着部５が形成されている。粘着部５は、このようなシート状の部材の貼付によって形成されるほか、粘着性を有するペースト状の部材を内底面７ａに塗布することによって形成されていてもよい。そして、粘着部５の他方の面、つまり粘着部５の表面（鑑識対象物Ｘを粘着採取する面）にはホコリなどの異物の付着を防止するための保護フィルム６が剥離可能に貼付されている。なお、本実施形態では、図２に示すように、粘着部５は、本体側凹状部７の内底面７ａの一部分に形成されるが、内底面７ａの全面を粘着部５で形成してもよい。
【００２９】
蓋体３は、ケース本体２の本体側凹状部７の開口部分を閉じる蓋であって、ヒンジ部４を介してケース本体２に開閉可能に支持されている。蓋体３は、当該蓋体３を閉じたときに本体側凹状部７の内周面７ｂと嵌合する嵌合部１０と、蓋体３を閉じたときに本体側凹状部７とともに粘着部５に粘着採取された鑑識対象物Ｘを収容する収容空間Ａを形成させる蓋体側凹状部（凹状部）１１と、上記嵌合部１０の外周に延設される蓋体側周縁部１２とで構成されている。
【００３０】
嵌合部１０は、蓋体側周縁部１２の内側に配置され、本体ケース２側に向けて凸状に突出するリング状の部位で構成されており、本体側凹状部７の内周面７ｂと嵌合可能な外周面１０ａを備えている。そして、蓋体３によってケース本体２（本体側凹状部７）を閉じる際には、この嵌合部１０の外周面１０ａを本体側凹状部７の内周面７ｂに嵌め合わせることで、ケース本体２（本体側凹状部７と蓋体側凹状部１１とで形成される鑑識対象物Ｘの収容空間Ａ）が密封されるようになっている。なお、ここでの密封とは、鑑識対象物Ｘの収容空間Ａにホコリなどの異物が侵入しない程度に封止することを意味している。
【００３１】
具体的には、嵌合部１０の外周面１０ａは本体側凹部７の内周面７ｂと同寸または内周面７ｂの寸法より僅かに大きく設定されており、嵌合部１０を本体側凹部７に嵌合させることによって本体側凹部７がわずかに弾性変形して両者が係合し、嵌合状態が容易に分離しないようになっている。
【００３２】
蓋体側凹状部１１は、嵌合部１０の内側に配置され、本体ケース２とは反対側に突出する凹状の窪みで構成されている。図示例では、蓋体側凹状部１１の内底面（鑑識対象物Ｘの収容空間Ａの天井面）１１ａは平らな平面とされているが、この内底面１１ａは必ずしも平面である必要はない。つまり、内底面１１ａは、鑑識対象物Ｘの形状に合わせて適宜変更することができ、たとえば、内底面１１ａを上方に突出するすり鉢状に形成することも可能である。また、この蓋体側凹状部１１は、採取する鑑識対象物Ｘが毛髪や塗装片のように厚みの薄い物である場合、その深さ寸法は浅く、たとえば、蓋体側周縁部１２から数ｍｍ（具体的には、たとえば５ｍｍ）程度の深さに設定されるが、鑑識対象物Ｘに厚みがある場合には、図４に示すように、深く（蓋体側周縁部１２から数ｃｍ、たとえば、１ｃｍ程度の深さに）設定される。つまり、この蓋体側凹状部１１の深さ寸法は、採取する鑑識対象物Ｘの大きさに合わせて適宜変更可能である。
【００３３】
蓋体側周縁部１２は、嵌合部１０の外側の全域にフランジ状に形成された部位であって、蓋体３の長手方向の一端に形成される蓋体側周縁部１２ａがヒンジ部４と連結されている。また、蓋体３の長手方向の他端（蓋体側周縁部１２ａと反対側）に形成される蓋体側周縁部１２ｂは、上記ケース本体２の本体側周縁部８ｂと同様に、他の周縁部１２よりも延出して形成され、ケース本体２の本体側周縁部８ｂとともに蓋体３を開くときの取手９を構成している。
【００３４】
ヒンジ部４は、ケース本体２と蓋体３との蝶番を構成する部位であって、本実施形態では、ケース本体２と蓋体３とが合成樹脂により一体成型されるので、このヒンジ部４も合成樹脂でケース本体２および蓋体３とともに一体成型されている。このヒンジ部４には、図２および図３（ｂ）に示すように、折り目が形成されており、この折り目部分が弾性変形することによって蓋体３の開閉ができるように構成されている。
【００３５】
ここで、ケース本体２と蓋体３とヒンジ部４の一体成型に用いる合成樹脂として、本実施形態では、成形後の状態が透明で、かつ、鑑識対象物Ｘの収容空間Ａの形状が容易に変形しない合成樹脂、たとえば、ＰＥＴ樹脂が用いられている。このように透明な合成樹脂を用いるのは、蓋体３を閉じた状態で採取後の鑑識対象物Ｘを外部から観察できるようにするためである。したがって、使用する樹脂の透明度は高ければ高いほど好ましい。
【００３６】
また、これに関連して、粘着部５に使用するシート状またはペースト状の部材にも透明な材料が用いられる。このように粘着部５を透明にすることで、ケース本体２側および蓋体３側の両方から鑑識対象物Ｘを観察することができるようになる。つまり、蓋体３を開くことなく鑑識対象物Ｘの表裏両面を観察できるようになる。
【００３７】
さらに、成形後に収容空間Ａの形状が容易に変形しない合成樹脂を用いるのは、鑑識対象物Ｘを採取した後に採取装置１を積み重ねて保管できるようにするためである。このように採取装置１を積み重ねて保管できることにより、鑑識対象物Ｘの保管スペースが狭い場合であっても多くの鑑識対象物Ｘ（採取装置１）を整理して収容・保管することができるようになる。
【００３８】
次に、鑑識対象物の採取装置１の使用方法を図５に基づいて説明する。
この鑑識対象物の採取装置１は、蓋体３が閉じられた状態（図１参照）で犯罪現場に搬送される。犯罪現場における鑑識対象物Ｘの採取にあたっては、鑑識係官は、まず、ケース本体２および蓋体３の取手９をつまんで蓋体３を開いた状態（図２参照）にする。
【００３９】
そして、蓋体３を開いた状態で、粘着部５に貼付されている保護フィルム６を剥離する（図５（ａ）参照）。これにより、粘着部５の表面が露出され、鑑識対象物Ｘの採取が可能な状態となる。
【００４０】
次に、鑑識係官は、粘着部５の表面が鑑識対象物Ｘと対面するようにケース本体２を持ち替えて、その状態で粘着部５を鑑識対象物Ｘに押し当てる。このとき、鑑識対象物Ｘが粘着部５に確実に粘着採取されるように適宜ケース本体２の背面を押すなどして、鑑識対象物Ｘを粘着部５に粘着採取させる（図５（ｂ）参照）。なお、この鑑識対象物Ｘの採取作業にあたって、ケース本体２の形状が定まっているため、熟練度の低い鑑識係官であっても鑑識対象物Ｘの採取作業を容易に行うことができる。
【００４１】
そして、鑑識対象物Ｘの粘着採取が完了すると、最後に、蓋体３を操作してケース本体２（本体側凹状部７）を閉じる（図５（ｃ）参照）。このとき、蓋体３の嵌合部１０の全域が本体側凹状部７と嵌合するように、蓋体３の全体をケース本体２に押し込むようにする。これにより、鑑識対象物Ｘは、ケース本体２と蓋体３との間に形成される収容空間Ａ内に密閉状態で収容されることとなる。
【００４２】
このようにして採取された鑑識対象物Ｘは、ケース本体２と蓋体３とによって外部と隔離された状態に置かれるので、採取後に鑑識対象物Ｘに異物が付着等することによって毀損されることが防止される。また、鑑識対象物の収容空間Ａの形状が定まっているため、鑑識対象物Ｘの採取後における採取装置１の運搬や保管が容易に行える。
【００４３】
また、鑑識対象物Ｘの鑑識作業においては、蓋体３を開くことなく外部から鑑識対象物Ｘを観察することができ、しかも、顕微鏡を用いて観察する場合においても、採取装置１をそのまま顕微鏡にセットして観察することができるので、鑑識作業における手間（スライドガラスへの移し替え作業など）を省くことができる。
【００４４】
さらに、鑑識対象物Ｘの保管においても、鑑識対象物Ｘは密封状態に保たれるので鑑識対象物Ｘの劣化が抑制され、長期間の保管が可能である。なお、保管に際して鑑識対象物の来歴（たとえば、鑑識対象物の採取年月日、採取場所、採取者などの情報）などを示しておく必要がある場合には、たとえば、図６に示すように、鑑識対象物の来歴を示す帳票Ｂを本体ケース２（または蓋体３）に剥離可能に貼付しておくことで、必要な情報を付した状態で保管することができる。
【００４５】
なお、上述した実施形態はあくまでも本発明の好適な実施態様を示すものであって、本発明はこれらに限定されることなくその範囲内で種々の設計変更が可能である。
【００４６】
たとえば、上述した実施形態では、採取装置１は、図５に示すように、鑑識係官が片手で保持できるサイズ（具体的には、長手方向の長さが９ｃｍ程度、幅方向の長さが５ｃｍ程度）に構成した場合を示しているが、採取装置１の大きさは適宜変更可能である。たとえば、より大きなサイズで構成することも可能である。
【００４７】
また、上述した実施形態では、ケース本体２、蓋体３およびヒンジ部４のすべてを透明な合成樹脂で構成した場合を示したが、少なくとも、ケース本体２の本体側凹状部７の内底面７ａと、蓋体３の蓋体側凹状部１１の内底面１１ａとが透明であれば他の部分は透明でなくてもよい。つまり、本体側凹状部７の内底面７ａと、粘着部５と、蓋体側凹状部１１の内底面１１ａとが透明であれば、蓋体３を開くことなく鑑識対象物Ｘを外部から観察することができる。
【００４８】
また、上述した実施形態では、ケース本体２と、蓋体３と、ヒンジ部４とをＰＥＴ樹脂で構成した場合を示したが、透明性があり、かつ、鑑識対象物Ｘの収容空間Ａの形状が容易に損なわれないのであれば、ＰＥＴ樹脂以外の合成樹脂を使用することももちろん可能である。たとえば、ケース本体２と蓋体３とを別体に構成する場合には、アクリル樹脂のような硬質の樹脂によって形成することも可能である。
【００４９】
なお、本発明に係る採取装置１は、上述したように、犯罪現場における鑑識対象物Ｘの採取に好適に使用されるが、他の用途、たとえば、衣服に付着したホコリなどを除去するホコリ取り器として用いることも可能である。
【符号の説明】
【００５０】
１                鑑識対象物の採取装置
２                ケース本体
３                蓋体
４                ヒンジ部
５                粘着部
６                保護フィルム
７                本体側凹状部
７ａ              ケース本体の内底面
７ｂ              ケース本体の内周面
８                本体側周縁部
９                取手
１０              嵌合部
１０ａ            嵌合部の外周面
１１              蓋体側凹状部（凹状部）
１２              蓋体側周縁部
Ａ                鑑識対象物の収容空間
Ｂ                帳票
Ｘ                鑑識対象物
【図１】
2015068660.tif 000003
【図２】
2015068660.tif 000004
【図３】
2015068660.tif 000005
【図４】
2015068660.tif 000006
【図５】
2015068660.tif 000007
【図６】
2015068660.tif 000008